(57)【要約】【課題】二番物の還元筒内における損傷。【解決手段】選別戻し用螺旋４０は、前記還元筒３３の中間部分に形成した前記風選室２４に還元しうる選別戻し口７０を有する選別戻し部３５に搬送する構成とする。前記脱穀戻し用螺旋３８は前記搬送螺旋３４まで還元物を揚穀搬送する構成とする。前記選別戻し用螺旋４０および脱穀戻し用螺旋３８の戻し用螺旋回転軸５０は前記脱穀装置３の左側側板５２に設けた上部取付部５４に共に軸装可能な構成とし、前記選別戻し用螺旋４０と脱穀戻し用螺旋３８とを選択することにより二番還元揚穀装置３２の還元先を前記脱穀室２１または前記揺動選別棚２５の何れかに切替える構成としたことを特徴とするコンバイン。【選択図】図４
2011130706.tif 000002
【特許請求の範囲】
【請求項１】
走行装置（２）の前方に、リール（１４）と刈刃（１５）とオーガー（８）を取付けたオーガーフレーム（１３）を有する刈取装置（６）を設け、前記刈取装置（６）で刈り取った穀稈を前記走行装置（２）の上方に設けた脱穀装置（３）に搬送する搬送エレベーター（１６）を設け、前記脱穀装置（３）は、扱胴（２０）の外周に扱網（２２）を配置して形成した脱穀室（２１）の下方に、選別風を送風する唐箕（２３）と送風方向に往復揺動する揺動選別装置（２６）により穀粒を選別する風選室（２４）を設け、前記揺動選別棚（２５）の下方には一番コンベア（３０）を設け、該一番コンベア（３０）の所定間隔を置いた後側には二番コンベア（３１）を設け、二番コンベア（３１）の終端には、二番コンベア（３１）に落下回収された二番物を、所定箇所に還元搬送する二番還元揚穀装置（３２）を設け、該二番還元揚穀装置（３２）は、前記二番コンベア（３１）の終端に接続した還元筒（３３）の先端を脱穀室（２１）の始端部上方に臨ませ、該還元筒（３３）の先端に二番物を脱穀室（２１）の幅方向に拡散搬送する左右方向の搬送螺旋（３４）の始端部を臨ませ、前記還元筒（３３）内に設ける還元搬送螺旋（３６）は、選別戻し用螺旋翼（３９）を有する選別戻し用螺旋（４０）と、脱穀戻し用螺旋翼（３７）を有する脱穀戻し用螺旋（３８）とを選択的に交換使用する構成とし、選別戻し用螺旋（４０）は、前記還元筒（３３）の中間部分に形成した前記風選室（２４）に還元しうる選別戻し口（７０）を有する選別戻し部（３５）に搬送する構成とし、前記脱穀戻し用螺旋（３８）は前記搬送螺旋（３４）まで還元物を揚穀搬送する構成とし、前記選別戻し用螺旋（４０）および脱穀戻し用螺旋（３８）の戻し用螺旋回転軸（５０）は前記脱穀装置（３）の左側側板（５２）に設けた上部取付部（５４）に共に軸装可能な構成とし、前記選別戻し用螺旋（４０）と脱穀戻し用螺旋（３８）とを選択することにより二番還元揚穀装置（３２）の還元先を前記脱穀室（２１）または前記揺動選別棚（２５）の何れかに切替える構成としたことを特徴とするコンバイン。
【請求項２】
請求項１において、前記二番還元揚穀装置（３２）の還元搬送螺旋（３６）は、該還元搬送螺旋（３６）の始端部に前記二番コンベア（３１）に伝達されたエンジンからの回転を伝達し、還元搬送螺旋（３６）の回転を前記脱穀室搬送螺旋（３４）に伝達する構成とし、前記還元搬送螺旋（３６）の選別戻し用螺旋（４０）の戻し用螺旋回転軸（５０）は、前記脱穀戻し用螺旋（３８）の戻し用螺旋回転軸（５０）を軸装する上部取付部（５４）に軸装する構成としたことを特徴とするコンバイン。
【請求項３】
請求項２において、前記選別戻し用螺旋（４０）および脱穀戻し用螺旋（３８）の戻し用螺旋回転軸（５０）は、前記上部取付部（５４）に対して着脱自在に取付け、前記戻し用螺旋回転軸（５０）の従動傘歯車（５１）は前記二番コンベア（３１）からの回転を伝達する伝達傘歯車（４８）に上方から噛み合わせ、前記脱穀戻し用螺旋（３８）および前記選別戻し用螺旋（４０）は前記還元筒（３３）から上方に抜ける構成としたことを特徴とするコンバイン。
【請求項４】
請求項１または請求項２または請求項３において、前記選別戻し部（３５）は、還元筒（３３）の軸心方向と同一軸心の略半筒形状に開口させ選別戻し口（７０）を有する筒部（７２）に風選室（２４）へ案内する一対の案内板（７３）を設けて構成し、前記選別戻し口（７０）には、該選別戻し口（７０）を閉塞する円弧部（７４）と前記案内板（７３）に取付ける取付板部（７５）を有する閉塞部材（７１）を着脱自在な構成としたことを特徴とするコンバイン。
【請求項５】
請求項４において、前記選別戻し部（３５）の一対の案内板（７３）のうち下側の案内板（７３）は、下向き傾斜に形成したことを特徴とするコンバイン。
【発明の詳細な説明】
【技術分野】
【０００１】
本発明は、コンバインに係るものである。
【背景技術】
【０００２】
従来、刈り取った穀稈および穀粒を脱穀装置の脱穀室に供給して脱穀し、脱穀した被処理物を風選室で選別し、風選室の揺動選別棚の下方の一番コンベアにより一番物を回収し、一番コンベアの所定間隔を置いた後側の二番コンベアに回収された二番物を、脱穀室への還元と風選室への還元とに還元搬送先を切替え可能にし、還元搬送先の切替えを切替弁で行う構成は、公知である（特許文献１）。
【先行技術文献】
【特許文献】
【０００３】
【特許文献１】特開平７−２８４３２５号公報
【発明の概要】
【発明が解決しようとする課題】
【０００４】
前記公知例は、単に、二番物の還元搬送先を、切替弁により切替える構成のため、風選室に戻すときは還元筒の中間の戻し口を閉塞部材を切り替えて開口させるが、還元筒内の還元搬送螺旋はそのまま存在するので、選別戻し口にまで揚穀された穀粒が直ぐに選別戻し口から風選室に排出されず、一部は選別戻し口を通過して上方に迄搬送される。
そのため、選別戻し口を通過した穀粒は、下方から揚穀される穀粒と擦れ合って損傷するという課題がある。
そこで、公知例の他の実施例では、還元搬送螺旋の長さの相違する脱穀戻し用螺旋と選別戻し用螺旋とを選択的に取り付けて還元先を切り替えるようにしているが、短い選別戻し用螺旋を取付ける軸受部の交換が面倒であり、還元先の切替作業が非常に煩雑であるという課題がある。
本願は、還元搬送螺旋の長さの相違する脱穀戻し用螺旋と選別戻し用螺旋とを選択的に取り付けて還元先を切り替える構成を採用して、穀粒の損傷を防止しつつ切替作業を容易にすると共に、脱穀戻し用螺旋による脱穀室への還元を工夫し、全体の選別精度および選別効率を向上させるようにしたものである。
【課題を解決するための手段】
【０００５】
請求項１記載の発明は、走行装置２の前方に、リール１４と刈刃１５とオーガー８を取付けたオーガーフレーム１３を有する刈取装置６を設け、前記刈取装置６で刈り取った穀稈を前記走行装置２の上方に設けた脱穀装置３に搬送する搬送エレベーター１６を設け、前記脱穀装置３は、扱胴２０の外周に扱網２２を配置して形成した脱穀室２１の下方に、選別風を送風する唐箕２３と送風方向に往復揺動する揺動選別装置２６により穀粒を選別する風選室２４を設け、前記揺動選別棚２５の下方には一番コンベア３０を設け、該一番コンベア３０の所定間隔を置いた後側には二番コンベア３１を設け、二番コンベア３１の終端には、二番コンベア３１に落下回収された二番物を、所定箇所に還元搬送する二番還元揚穀装置３２を設け、該二番還元揚穀装置３２は、前記二番コンベア３１の終端に接続した還元筒３３の先端を脱穀室２１の始端部上方に臨ませ、該還元筒３３の先端に二番物を脱穀室２１の幅方向に拡散搬送する左右方向の搬送螺旋３４の始端部を臨ませ、前記還元筒３３内に設ける還元搬送螺旋３６は、選別戻し用螺旋翼３９を有する選別戻し用螺旋４０と、脱穀戻し用螺旋翼３７を有する脱穀戻し用螺旋３８とを選択的に交換使用する構成とし、選別戻し用螺旋４０は、前記還元筒３３の中間部分に形成した前記風選室２４に還元しうる選別戻し口７０を有する選別戻し部３５に搬送する構成とし、前記脱穀戻し用螺旋３８は前記搬送螺旋３４まで還元物を揚穀搬送する構成とし、前記選別戻し用螺旋４０および脱穀戻し用螺旋３８の戻し用螺旋回転軸５０は前記脱穀装置３の左側側板５２に設けた上部取付部５４に共に軸装可能な構成とし、前記選別戻し用螺旋４０と脱穀戻し用螺旋３８とを選択することにより二番還元揚穀装置３２の還元先を前記脱穀室２１または前記揺動選別棚２５の何れかに切替える構成としたことを特徴とするコンバインとしたものであり、走行装置２により前進して刈取装置６が刈り取った穀稈および穀粒を脱穀装置３に供給し、脱穀装置３の脱穀室２１で脱穀処理し、脱穀処理された被処理物を風選室２４により風選処理し、二番コンベア３１に回収された二番物を、二番還元揚穀装置３２により脱穀室２１または風選室２４に還元搬送し、脱穀または風選の再処理を行う。
二番還元揚穀装置３２の還元搬送螺旋３６は、選別戻し用螺旋翼３９を有する選別戻し用螺旋４０と、搬送螺旋３４まで還元物を揚穀搬送する脱穀戻し用螺旋翼３７を有する脱穀戻し用螺旋３８との何れかを選択し、選択した還元搬送螺旋３６の戻し用螺旋回転軸５０を脱穀装置３の左側側板５２に設けた上部取付部５４に共に軸装すると、二番還元揚穀装置３２の還元先を切替られる。
また、二番還元揚穀装置３２の脱穀戻し用螺旋３８により揚穀された穀粒は、上部取付部５４にて搬送螺旋３４に引き継がれ、搬送螺旋３４は二番物を脱穀室２１内の幅方向に搬送しながら拡散させて、脱穀再処理を行う。
請求項２記載の発明は、前記二番還元揚穀装置３２の還元搬送螺旋３６は、該還元搬送螺旋３６の始端部に前記二番コンベア３１に伝達されたエンジンからの回転を伝達し、還元搬送螺旋３６の回転を前記脱穀室搬送螺旋３４に伝達する構成とし、前記還元搬送螺旋３６の選別戻し用螺旋４０の戻し用螺旋回転軸５０は、前記脱穀戻し用螺旋３８の戻し用螺旋回転軸５０を軸装する上部取付部５４に軸装する構成としたことを特徴とするコンバインとしたものであり、二番コンベア３１に伝達されたエンジン回転を還元搬送螺旋３６の脱穀戻し用螺旋３８または選別戻し用螺旋４０の何れかに伝達し、脱穀戻し用螺旋３８または選別戻し用螺旋４０は夫々脱穀室２１または風選室２４に穀粒を戻し、脱穀戻し用螺旋３８は二番コンベア３１からの駆動回転を搬送螺旋３４に伝達して二番物を脱穀室２１内の幅方向に搬送しながら拡散させる。
請求項３記載の発明は、前記選別戻し用螺旋４０および脱穀戻し用螺旋３８の戻し用螺旋回転軸５０は、前記上部取付部５４に対して着脱自在に取付け、前記戻し用螺旋回転軸５０の従動傘歯車５１は前記二番コンベア３１からの回転を伝達する伝達傘歯車４８に上方から噛み合わせ、前記脱穀戻し用螺旋３８および前記選別戻し用螺旋４０は前記還元筒３３から上方に抜ける構成としたことを特徴とするコンバインとしたものであり、還元搬送螺旋３６の選別戻し用螺旋４０および脱穀戻し用螺旋３８は還元筒３３の上方から挿入して、選別戻し用螺旋４０または脱穀戻し用螺旋３８の何れかの戻し用螺旋回転軸５０の下部の従動傘歯車５１を二番コンベア３１からの回転を伝達する伝達傘歯車４８に上方から噛み合わせ、戻し用螺旋回転軸５０の上部を上部取付部５４に軸装して還元搬送螺旋３６を組付ける。
また、選別戻し用螺旋４０または脱穀戻し用螺旋３８の何れかの戻し用螺旋回転軸５０の上部を上部取付部５４から外し、または、選別戻し用螺旋４０または脱穀戻し用螺旋３８の何れかの戻し用螺旋回転軸５０の上部から上部取付部５４を外し、還元搬送螺旋３６の選別戻し用螺旋４０または脱穀戻し用螺旋３８の何れかを還元筒３３から引き抜き、別の選別戻し用螺旋４０または脱穀戻し用螺旋３８を還元筒３３の上方から挿入して、切替え作業を行う。
請求項４記載の発明は、前記選別戻し部３５は、還元筒３３の軸心方向と同一軸心の略半筒形状に開口させ選別戻し口７０を有する筒部７２に風選室２４へ案内する一対の案内板７３を設けて構成し、前記選別戻し口７０には、該選別戻し口７０を閉塞する円弧部７４と前記案内板７３に取付ける取付板部７５を有する閉塞部材７１を着脱自在な構成としたことを特徴とするコンバインとしたものであり、選別戻し部３５の筒部７２の閉塞部材７１を取付け、脱穀戻し用螺旋３８を還元筒３３に取付けて還元先を脱穀室２１とし、選別戻し部３５の筒部７２の選別戻し口７０から閉塞部材７１を外し、選別戻し用螺旋４０を還元筒３３に取付けて還元先を風選室２４とする。
請求項５記載の発明は、前記選別戻し部３５の一対の案内板７３のうち下側の案内板７３は、下向き傾斜に形成したことを特徴とするコンバインとしたものであり、選別戻し用螺旋４０により揚穀された穀粒は、選別戻し口７０から排出され傾斜する案内板７３により風選室２４へ案内されて流入し、風選の再処理を受ける。
【発明の効果】
【０００６】
請求項１記載の発明では、選択した選別戻し用螺旋４０または脱穀戻し用螺旋３８の戻し用螺旋回転軸５０を、脱穀装置３の左側側板５２の上部取付部５４に軸装すればよいので、切替え作業を頗る容易にでき、また、上部取付部５４は選別戻し用螺旋４０と脱穀戻し用螺旋３８の兼用構成にでき、部品点数を減少させてコストを低くすることができ、二番還元揚穀装置３２の脱穀戻し用螺旋３８により揚穀された穀粒は搬送螺旋３４により二番物を脱穀室２１内の幅方向に拡散搬送できるので、脱穀精度および脱穀効率を向上させることができる。
請求項２記載の発明では、上記効果に加えて、還元搬送螺旋３６は、脱穀戻し用螺旋３８と選別戻し用螺旋４０の何れであっても、二番コンベア３１からの回転を伝達でき、回転伝達機構を兼用することができ、部品点数を減少させてコストを低くすることができる。
請求項３記載の発明では、上記効果に加えて、還元搬送螺旋３６は、選別戻し用螺旋４０と脱穀戻し用螺旋３８の何れであっても還元筒３３の上方から挿入し、還元筒３３から引き抜けるので、交換作業を頗る簡単にでき、切替え作業全般を容易にすることができる。
請求項４記載の発明では、上記効果に加えて、選別戻し部３５の筒部７２の選別戻し口７０に閉塞部材７１を取付けて還元先を脱穀室２１とするので、切替え作業全般を容易にすることができる。
請求項５記載の発明では、上記効果に加えて、選別戻し用螺旋４０により揚穀された穀粒は風選室２４へ円滑・確実に流入させることができ、詰まり発生を防止することができ、また、詰まり発生を防止することで、穀粒の損傷も防止できる。
【図面の簡単な説明】
【０００７】
【図１】コンバインの側面図。
【図２】刈取装置の側面図。
【図３】脱穀装置の概略断面図。
【図４】脱穀装置の側面図。
【図５】二番還元揚穀装置の背面図。
【図６】脱穀戻し用螺旋および選別戻し用螺旋の平面図。
【図７】二番還元揚穀装置の平面図。
【図８】二番還元揚穀装置の下部取付部の背面図。
【図９】同側面図。
【図１０】同平面図。
【図１１】二番還元揚穀装置の上部取付部の背面図。
【図１２】同側面図。
【図１３】同平面図。
【図１４】二番還元揚穀装置の選別戻し部の断面図。
【図１５】同側面図。
【図１６】同正面図。
【図１７】還元筒の分解図。
【図１８】扱網の実施例の側面図。
【図１９】同背面図。
【図２０】扱網の他の実施例の側面図。
【発明を実施するための最良の形態】
【０００８】
本発明の一実施例を図面により説明すると、１は刈り取った圃場の穀稈を投入して脱穀する所謂汎用コンバインの機体フレームであり、機体フレーム１の下方には走行装置２を設け、機体フレーム１の上方には脱穀装置３を設け、脱穀装置３の側方にグレンタンク４を設け、グレンタンク４の前方に操縦部５を設け、操縦部５および前記脱穀装置３の前方には刈取装置６を設けている。
刈取装置６は、左右側壁７と後述するオーガー８の下方に位置する底板１１と左右の側壁７と底板１１とを連結するように設けた後板１２とにより構成したオーガーフレーム１３に、リール１４と、刈刃１５と前記オーガー８を設けて構成し、オーガーフレーム１３には搬送エレベーター１６の先端を取付け、搬送エレベーター１６の基部は脱穀装置３の脱穀室に接続する。前記オーガー８は前記操縦部５のすぐ前方に位置させ、前記搬送エレベーター１６は前記操縦部５の側部に位置させる。
また、刈取装置６は、搬送エレベーター１６と共に、搬送エレベーター１６の基部を回動中心にして上下するように構成している。
搬送エレベーター１６内には、前記脱穀装置３に穀稈および穀粒を搬送する搬送コンベア１７を設ける。搬送エレベーター１６の基部は脱穀装置３に接続する。
前記脱穀装置３の構成は任意であるが、一例を示すと、上部に扱胴２０を軸装した脱穀室２１を設けている。なお、理解を容易にするため、便宜的に方向を示して以下説明するが、これにより構成が限定されるものではない。
【０００９】
扱胴２０の周囲は扱網２２により包囲している。扱網２２の下方には唐箕２３を設ける。前記脱穀室２１の下方には前記唐箕２３の送風により穀粒と異物とを風選し得る風選室２４を形成し、風選室２４内には、唐箕２３の送風方向（前後方向）に往復揺動する揺動選別棚２５により構成した揺動選別装置２６を設ける。
２７はシーブ、２８は唐箕２３の吸引開口部である。
揺動選別棚２５の下方には一番コンベア３０を設け、一番コンベア３０の後側には二番コンベア３１を設ける。
二番コンベア３１には、二番物を還元する二番還元揚穀装置３２を設ける。二番還元揚穀装置３２は、二番還元揚穀装置３２による還元先を、前記脱穀室２１または前記揺動選別棚２５の始端部（風選室２４）との何れかに切替え可能に構成する。
二番還元揚穀装置３２は、還元筒３３の基部を前記二番コンベア３１の終端に接続し（図５参照）、還元筒３３の先端を前記脱穀室２１の始端部上方に臨ませる。還元筒３３の先端には左右方向の搬送螺旋３４の始端部を接続し（図５参照）、搬送螺旋３４は還元筒３３からの還元物を搬送しながら脱穀室２１内に拡散供給させる。
【００１０】
搬送螺旋３４が拡散搬送する構成は任意であるが、例えば、搬送螺旋３４の下方に設けた受樋３４Ａの幅を先端に至るに従い狭くし、均等に落下するようにする（図５参照）。
還元筒３３の中間部には前記揺動選別棚２５への選別戻し部３５を設け（図４参照）、還元筒３３内には還元搬送螺旋３６を設ける。還元搬送螺旋３６は、前記搬送螺旋３４まで還元物を揚穀搬送する脱穀戻し用螺旋翼３７を有する脱穀戻し用螺旋３８と、選別戻し用螺旋翼３９を有する選別戻し用螺旋４０とを選択して取付け（図６参照）、二番還元揚穀装置３２による還元先を、前記脱穀室２１または前記揺動選別棚２５の何れかに切替える。
そのため、選別戻し用螺旋４０では、脱穀戻し用螺旋３８と回転伝達機構を共用しつつ、選別戻し部３５から先の脱穀戻し用螺旋翼３７を不要にするので、装置全体の軽量化が図れる。
【００１１】
実施例では、稲麦の作業ときは脱穀戻し用螺旋３８を取付け、大豆小豆等の場合には選別戻し用螺旋４０を取付ける。
前記二番コンベア３１の回転軸４２の始端部には、図５のように、エンジンからの回転を入力する入力プーリ４３を設け、回転軸４２の終端には伝達用出力歯車４４を設ける。伝達用出力歯車４４には中間軸４５の従動歯車４６との間にチエン４７を掛け回す。中間軸４５には伝達傘歯車４８を設け、伝達傘歯車４８は脱穀戻し用螺旋３８または選別戻し用螺旋４０の戻し用螺旋回転軸５０の基部の従動傘歯車５１を噛み合わせる。
還元筒３３の下部は脱穀装置３の左側側板５２に設けた下部取付部５３に取付け、還元筒３３の上部は前記左側側板５２に設けた上部取付部５４に取付け、戻し用螺旋回転軸５０の基部は下部取付部５３に軸装し、戻し用螺旋回転軸５０の先端は上部取付部５４に軸装する。
【００１２】
前記中間軸４５と従動歯車４６とチエン４７と伝達傘歯車４８と従動傘歯車５１は下部取付部５３内に設ける。
前記上部取付部５４内の戻し用螺旋回転軸５０には傘歯車５５を設け（図７）、傘歯車５５には中間軸５６の傘歯車５７を噛み合わせる。中間軸５６には中間歯車５８を設け、中間歯車５８には搬送螺旋３４の脱穀送り螺旋回転軸５９の従動歯車６０との間にチエン６１を掛け回す。
したがって、脱穀戻し用螺旋３８の戻し用螺旋回転軸５０と選別戻し用螺旋４０の戻し用螺旋回転軸５０とを入れ替えるだけで、二番還元揚穀装置３２の還元先の切替えを行える。
この場合、脱穀戻し用螺旋３８の戻し用螺旋回転軸５０と選別戻し用螺旋４０の戻し用螺旋回転軸５０とは同じ長さとし、脱穀戻し用螺旋３８の戻し用螺旋回転軸５０と選別戻し用螺旋４０の戻し用螺旋回転軸５０との先端は何れも上部取付部５４に軸装する。
【００１３】
また、脱穀戻し用螺旋３８の脱穀戻し用螺旋翼３７および選別戻し用螺旋４０の選別戻し用螺旋翼３９の夫々の先端には穀粒を跳ね飛ばす羽根体６２を設けるが（図６）、脱穀戻し用螺旋３８の先端より搬送方向下手側には、戻し用螺旋回転軸５０と交差する穀粒戻し板６３を設けている。
前記中間軸５６と従動歯車６０とチエン６１は上部取付部５４の上部チエンケース６５内に設け、上部チエンケース６５は上部取付部５４の本体６６に対して着脱自在に構成する。
そのため、上部チエンケース６５を上部取付部５４の本体６６から外し、脱穀戻し用螺旋３８または選別戻し用螺旋４０の戻し用螺旋回転軸５０の基部の従動傘歯車５１から伝達傘歯車４８を外すと、脱穀戻し用螺旋３８または選別戻し用螺旋４０は還元筒３３から上方に抜くことができる。
したがって、この点でも、脱穀戻し用螺旋３８または選別戻し用螺旋４０の切替えは容易となり、しかも、脱穀戻し用螺旋３８または選別戻し用螺旋４０は還元筒３３から上方に抜けるので、メンテナンス作業も容易となる。
【００１４】
この場合、戻し用螺旋回転軸５０の従動傘歯車５１は前記二番コンベア３１からの回転を伝達する伝達傘歯車４８に上方から噛み合わせて、前記脱穀戻し用螺旋３８および前記選別戻し用螺旋４０は前記還元筒３３からそのまま上方に抜ける構成とする。
６７は下部チエンケースである（図５参照）。
前記選別戻し部３５には、選別戻し口７０を閉塞する閉塞部材７１を設ける。
選別戻し部３５は、還元筒３３の中間部に着脱自在に設ける。選別戻し部３５は還元筒３３の軸心方向に連続する筒部７２を有し、筒部７２に選別戻し口７０を開口させて筒部７２を半筒形状に形成し、筒部７２に揺動選別棚２５へ案内する案内板７３を設けて構成する。前記閉塞部材７１は、選別戻し口７０を閉塞する円弧部７４と案内板７３に取付ける取付板部７５を有して形成し、取付板部７５を案内板７３に係合部材あるいは止着部材７６により着脱自在に取付ける。
そのため、還元先を脱穀室２１としたとき、選別戻し口７０を閉塞部材７１により閉塞し、還元物が直接揺動選別棚２５に戻るのを防止する。
選別戻し部３５の案内板７３のうち下側の案内板７３は、下向き傾斜に形成する。
【００１５】
そのため、二番還元揚穀装置３２による還元物の揺動選別棚２５への還元を良好に行え、還元物の詰まり発生を防止する。
なお、選別戻し部３５を還元筒３３および左側側板５２に対して着脱自在に設けているので、還元物の詰まり除去等のメンテナンス作業を容易にする。
しかして、二番還元揚穀装置３２の還元筒３３は、全長に亘って内側ケーシング７８と外側ケーシング７９とに分割形成すると共に、外側ケーシング７９は内側ケーシング７８に対してボルト７７により着脱自在に取付ける。
そのため、還元筒３３は、外側ケーシング７９を外すと、残った内側ケーシング７８により半割形状となって掃除口８０を形成し、掃除口８０から還元物の詰まり除去等のメンテナンス作業を容易にする。
しかして、図１８は、脱穀室２１を構成する扱胴２０の周囲を包囲する扱網２２に関するものであり、扱網２２（濾過部材）は扱胴２０の軸心方向に平行のローラー８５を扱胴２０の円周方向に所定間隔を置いて複数並設して構成する。ローラー８５は所定部分を枠体８６に回転自在に軸装する。各ローラー８５の軸心方向の中間所定位置には仕切り案内体８７を設ける。仕切り案内体８７は板部材により形成し、下から上に至るに従い脱穀室２１の終端側に位置するように、側面視で傾斜させ、扱胴２０の軸心方向に所定間隔を置いて複数並設する。
【００１６】
そのため、脱穀室２１内の被処理物がローラー８５に接触すると、接触抵抗でローラー８５が回転し、被処理物とローラー８５との接触抵抗よる塵埃発生を抑制し、更に、仕切り案内体８７により脱穀室２１の終端への送り作用により処理時間を短縮し、選別効率を向上させる。
大豆や小豆の作業では、ローラー８５による塵埃発生の抑制と、仕切り案内体８７による送り作用による処理時間の短縮により、大豆や小豆の被処理物の塵埃の汚染を抑制する。
また、米麦の作業では、ローラー８５による接触抵抗の低下と、仕切り案内体８７による送り作用による処理時間の短縮により、稈切れ発生を抑制し、選別精度や選別効率を向上させられる。
前記各仕切り案内体８７は、傾斜角度調節自在に構成しても良い（図２０）。
【００１７】
即ち、脱穀室２１内の被処理物への送り作用が低下すると、夾雑物等の揺動選別棚２５への落下量が増加し、選別不良や選別ロスが発生するが、仕切り案内体８７の傾斜を変更することにより送り作用をコントロールでき、最適な状態で脱穀・選別作業を行える。
前記各仕切り案内体８７の傾斜角度を調節自在にする構成は、任意であるが、例えば、各仕切り案内体８７の上部を枠体８６に対して回動自在に軸８８により取付け、各仕切り案内体８７の下部に回動を停止させるストッパ８９を設ければよい。
【００１８】
（実施例の作用）
機体を走行させると、圃場の穀稈をリール１４がオーガーフレーム１３内に掻込み、刈刃１５が穀稈を刈取り、刈り取った穀稈および穀粒はオーガー８により集められて搬送エレベーター１６に供給され、搬送エレベーター１６は穀稈および穀粒を脱穀装置３の脱穀室２１に供給する。
脱穀装置３の脱穀室２１内では回転する扱胴２０により穀稈から穀粒を分離して脱粒させて脱穀し、穀粒は扱網２２から下方の揺動選別棚２５上に落下し、揺動選別棚２５の揺動と唐箕２３からの送風により選別され、穀粒が主体の一番物は揺動選別棚２５の下方の一番コンベア３０に落下し、グレンタンク４に一時貯留される。
一番コンベア３０に落下しない揺動選別棚２５上の被処理物は、一番コンベア３０の後方の二番コンベア３１に落下する。二番コンベア３１に落下回収された二番物は、二番還元揚穀装置３２により脱穀室２１または揺動選別棚２５に戻されて再処理される。
【００１９】
この場合、二番還元揚穀装置３２は、二番物の還元先を、脱穀室２１または揺動選別棚２５の何れかに切替え可能に構成しているので、対象作物の種類・対象作物の性状等の条件に応じて還元先を脱穀室２１または揺動選別棚２５の何れかに切替える。
例えば、稲麦の場合は、二番物は脱穀室２１に還元し、再度脱穀処理から選別処理まで行って、穀粒に付着している枝梗等の除去を行い、脱穀・選別精度を向上させる。
また、大豆・小豆等の二番物は、揺動選別棚２５に戻すことにより、扱胴２０の回転による穀粒の損傷を回避させ、脱穀・選別によるロスの発生を抑制する。
二番還元揚穀装置３２は、還元筒還元筒３３の基部を二番コンベア３１の終端に接続し、還元筒３３の先端を脱穀室２１の始端部上方に臨ませ、還元筒３３の先端に左右方向の搬送螺旋３４の始端部を接続しているので、二番還元揚穀装置３２により脱穀室２１に還元される二番物は還元筒３３により揚穀され、還元筒３３から搬送螺旋３４に引き継がれ、搬送螺旋３４は還元物を搬送しながら脱穀室２１の幅方向に拡散させながら還元供給する。
【００２０】
この場合、二番コンベア３１の回転軸４２の始端部にはエンジンからの回転を入力する入力プーリ４３を設け、回転軸４２の終端には伝達用出力歯車４４を設けているので、回転軸４２の回転は伝達用出力歯車４４と従動歯車４６とチエン４７と伝達傘歯車４８等を介して二番還元揚穀装置３２の還元搬送螺旋３６の戻し用螺旋回転軸５０に回転伝達し、還元搬送螺旋３６の回転を搬送螺旋３４に伝達して駆動させる。
そのため、二番還元揚穀装置３２（還元搬送螺旋３６）および搬送螺旋３４の伝動機構を簡素に構成できる。
また、二番還元揚穀装置３２および回転伝達機構は脱穀装置３の左側側板５２の外面側に設けているので、メンテナンス作業を容易にする。
二番還元揚穀装置３２は、還元筒３３の中間部に揺動選別棚２５への選別戻し部３５を設け、還元筒３３内には還元搬送螺旋３６を設け、還元搬送螺旋３６は搬送螺旋３４まで還元物を揚穀搬送する脱穀戻し用螺旋翼３７を有する脱穀戻し用螺旋３８と、選別戻し用螺旋翼３９を有する選別戻し用螺旋４０とを選択して取付ける構成とし、二番還元揚穀装置３２による還元先を、脱穀戻し用螺旋３８と選別戻し用螺旋４０とを入れ替えることで、脱穀室２１または揺動選別棚２５の何れかに切替える。
【００２１】
そのため、選別戻し用螺旋４０では、脱穀戻し用螺旋３８の回転伝達機構を共用しつつ、選別戻し部３５から先の脱穀戻し用螺旋翼３７を不要にするので、装置全体の軽量化が図れる。
実施例では、稲麦の作業ときは脱穀戻し用螺旋３８を取付け、大豆小豆等の場合には選別戻し用螺旋４０を取付ける。
二番還元揚穀装置３２の還元搬送螺旋３６は、二番コンベア３１の回転を還元搬送螺旋３６に伝達する伝達傘歯車４８に、還元搬送螺旋３６の戻し用螺旋回転軸５０の従動傘歯車５１を上方から噛み合わせ、還元搬送螺旋３６の戻し用螺旋回転軸５０の先端は脱穀装置３の左側側板５２に設けた上部取付部５４に軸装し、上部取付部５４内の戻し用螺旋回転軸５０に搬送螺旋３４に回転伝達する傘歯車５５等を設けて構成しているので、二番還元揚穀装置３２は、還元搬送螺旋３６の脱穀戻し用螺旋３８の戻し用螺旋回転軸５０と選別戻し用螺旋４０の戻し用螺旋回転軸５０とを入れ替えるだけで、二番還元揚穀装置３２の還元先の切替えを行える。
【００２２】
この場合、戻し用螺旋回転軸５０の傘歯車５５に噛み合っている傘歯車５７は、中間軸５６に取付けられ、中間軸５６は従動歯車６０とチエン６１と共に上部チエンケース６５内に設けられ、上部チエンケース６５は上部取付部５４の本体６６に対して着脱自在に構成しているので、上部チエンケース６５を外して、戻し用螺旋回転軸５０の傘歯車５５に噛み合っている傘歯車５７を外す。
次に、二番コンベア３１の回転を還元搬送螺旋３６に伝達する伝達傘歯車４８には、還元搬送螺旋３６の戻し用螺旋回転軸５０の従動傘歯車５１を上方から噛み合わせているので、上部チエンケース６５を上部取付部５４から外すと、脱穀戻し用螺旋３８または選別戻し用螺旋４０は還元筒３３から上方に抜くことができる。
したがって、この点でも、脱穀戻し用螺旋３８または選別戻し用螺旋４０の切替えは容易となり、しかも、脱穀戻し用螺旋３８または選別戻し用螺旋４０は還元筒３３から上方に抜けるので、メンテナンス作業も容易となる。
【００２３】
二番還元揚穀装置３２の還元筒３３に設けた選別戻し部３５には選別戻し口７０を形成し、選別戻し口７０には選別戻し口７０を開閉する閉塞部材７１を着脱自在に設けているので、還元搬送螺旋３６の脱穀戻し用螺旋３８を装着して、還元先を脱穀室２１とする場合は閉塞部材７１により選別戻し口７０を閉塞する。
そのため、二番物が直接揺動選別棚２５に還元されるのを防止し、脱穀・選別精度を低下させない。
また、二番還元揚穀装置３２の還元搬送螺旋３６を選別戻し用螺旋４０に交換し、選別戻し部３５の選別戻し口７０から閉塞部材７１を外して開口させると、二番物は選別戻し口７０から揺動選別棚２５上に直接供給され、脱穀の再処理を受けずに選別される。
選別戻し部３５は、還元筒３３の中間部に着脱自在に設け、選別戻し部３５は還元筒３３の軸心方向に連続する筒部７２を有し、筒部７２に選別戻し口７０を開口させて筒部７２を半筒形状に形成し、筒部７２に揺動選別棚２５へ案内する案内板７３を設けて構成し、閉塞部材７１は、選別戻し口７０を閉塞する円弧部７４と案内板７３に取付ける取付板部７５を有して形成しているので、取付板部７５を案内板７３に係合部材あるいは止着部材７６により着脱自在に取付ける。
【００２４】
そのため、選別戻し口７０の開閉作業を頗る容易にする。
選別戻し部３５の案内板７３のうち下側の案内板７３は、下向き傾斜に形成しているので、二番還元揚穀装置３２による還元物の揺動選別棚２５への還元を良好に行え、還元物の詰まり発生を防止する。
二番還元揚穀装置３２の還元筒３３は、全長に亘って内側ケーシング７８と外側ケーシング７９とに分割形成すると共に、外側ケーシング７９は内側ケーシング７８に対して着脱自在に取付けているので、還元筒３３は、外側ケーシング７９を外すと、残った内側ケーシング７８により半割形状となって掃除口８０を形成し、掃除口８０から還元物の詰まり除去等のメンテナンス作業を容易にする。
なお、前記した各実施例は、理解を容易にするために、個別または混在させて図示、あるいは説明しているが、これらは夫々種々組合せ可能であり、これらの表現によって、構成・作用等が限定されるものではなく、また、相乗効果を奏する場合も勿論存在する。
【符号の説明】
【００２５】
１……機体フレーム、２…走行装置、３…脱穀装置、４…グレンタンク、５…操縦部、６…刈取装置、７…左右側壁、８…オーガー、１１…底板、１２…後板、１３…オーガーフレーム、１４…リール、１５…刈刃、１６…搬送エレベーター、１７…搬送コンベア、２０…扱胴、２１…脱穀室、２３…唐箕、２４…風選室、２５…揺動選別棚、２６…揺動選別装置、３０…一番コンベア、３１…二番コンベア、３２…二番還元揚穀装置、３３…還元筒、３４…搬送螺旋、３５…選別戻し部、３６…還元搬送螺旋、３７…脱穀戻し用螺旋翼、３８…脱穀戻し用螺旋、３９…選別戻し用螺旋翼、４０…選別戻し用螺旋、４２…回転軸、４３…入力プーリ、４４…伝達用出力歯車、４５…中間軸、４６…従動歯車、４７…チエン、４８…伝達傘歯車、５０…戻し用螺旋回転軸、５１…従動傘歯車、５２…左側側板、５３…下部取付部、５４…上部取付部、５５…傘歯車、５６…中間軸、５７…傘歯車、５８…中間歯車、５９…脱穀送り螺旋回転軸、６０…従動歯車、６１…チエン、６５…上部チエンケース、７０…選別戻し口、７１…閉塞部材、７２…筒部、７３…案内板、７４…円弧部、７５…取付板部、７６…止着部材、７９…外側ケーシング、８５…ローラー、８６…枠体、８７…仕切り案内体。
【図１】
2011130706.tif 000003
【図２】
2011130706.tif 000004
【図３】
2011130706.tif 000005
【図４】
2011130706.tif 000006
【図５】
2011130706.tif 000007
【図６】
2011130706.tif 000008
【図７】
2011130706.tif 000009
【図８】
2011130706.tif 000010
【図９】
2011130706.tif 000011
【図１０】
2011130706.tif 000012
【図１１】
2011130706.tif 000013
【図１２】
2011130706.tif 000014
【図１３】
2011130706.tif 000015
【図１４】
2011130706.tif 000016
【図１５】
2011130706.tif 000017
【図１６】
2011130706.tif 000018
【図１７】
2011130706.tif 000019
【図１８】
2011130706.tif 000020
【図１９】
2011130706.tif 000021
【図２０】
2011130706.tif 000022